(57)【要約】【課題】  コストアップを押えながら、より小型で安全性の高いファクシミリ通信装置を提供すること。【解決手段】  電源トランスの巻線方向に対してＮＣＵトランスの巻線方向が垂直になるようにトランスを実装することで、ＮＣＵトランスと電源トランスを近傍に配置しながらＮＣＵトランスへの電源トランスの磁束の影響を少なくするとともに、電源回路部とＮＣＵ部を高難燃性部材で囲み、一体化することで安全性を高める。【選択図】  図１
2007306385.tif 000002
【特許請求の範囲】
【請求項１】
トランスを使用しＡＣ電源をＤＣ電源に変換する電源回路手段と、
電話回線との電気的分離手段として巻線トランスを使用した網制御回路（ＮＣＵ回路）手段と、を有するファクシミリ通信装置において、
電源トランスの巻線方向に対して、ＮＣＵトランスの巻線方向が垂直になるようにトランスを実装し、電源回路手段とＮＣＵ回路手段とを難燃性の高い部材で囲み、一体化することを特徴とするファクシミリ通信装置。
【請求項２】
トランスを使用し、ＡＣ電源をＤＣ電源に変換する電源回路基板と、
電話回線との電気的分離手段として巻線トランスを使用したＮＣＵ回路基板と、を有するファクシミリ通信装置において、
電源トランスとＮＣＵトランスは、巻線方向が各々の基板面に平行になるように実装され、かつ、電源回路基板に対してＮＣＵ回路基板が垂直になるように配置されるとともに、電源回路基板とＮＣＵ回路基板とを難燃性の高い部材で囲み、一体化することを特徴とするファクシミリ通信装置。
【発明の詳細な説明】
【技術分野】
【０００１】
本発明は、電話回線に接続され、ＤＣ電源と網制御装置（ＮＣＵ）を内蔵するファクシミリ通信装置に関する。
【背景技術】
【０００２】
従来、ファクシミリ通信装置には、ＡＣ電源をＤＣ電源に変換する電源回路部と、電話回線用網制御部（ＮＣＵ）とを内蔵したものがある。電源回路部とＮＣＵ部は一次回路を有し、二次回路との絶縁に巻線トランスを使用している場合が多かった。しかしながら、電源のトランスから発生する磁束の影響でＮＣＵのトランスからノイズが入り、通信障害が発生する場合があった。そのため、従来は電源トランスとＮＣＵトランスを、磁束の影響が出ない程度に距離を離して実装するか、特許文献１に記されているように、ＮＣＵトランスを使用しない構成が考えられていた。
【０００３】
前者の場合の例を図３に示す。図は、電源回路基板１０１とＮＣＵ基板１０２を水平に並べてファクシミリ通信装置（図示せず）内に実装した場合で、各トランスの磁束は点線で示すように同じ方向に発生することになる。この時、電源トランスとＮＣＵトランスをある程度距離を離さないと電源トランスの磁束の影響でＮＣＵトランスから回線信号にノイズが入り、通信障害が発生する場合があった。
【０００４】
また、ファクシミリ通信装置においては、電源回路部とＮＣＵの一次回路を有するため、外的要因（雷など）によって回路故障が発生し、最悪の場合発煙／発火が起こる可能性がある。したがって、電源およびＮＣＵの一次回路部品とその他の難燃性の低い部材とは距離を離すか一次回路部品を難燃性の高い部材で囲むことで、低難燃性部材へ燃え広がることを防ぎ、ユーザーを保護することが行われている。
【特許文献１】特開２００１−２６８２６３号公報
【発明の開示】
【発明が解決しようとする課題】
【０００５】
ＮＣＵトランスを使用する場合、ＮＣＵトランスと電源トランスとの距離、ＮＣＵ一次回路と他の低難燃性部材／部品との距離、電源一次回路と低難燃性部材／部品との距離、を一定以上離すように配置しなければならず、装置の小型化への妨げになっていた。また、電源／ＮＣＵの一次回路と低難燃性部材／部品との距離が一定以上離せない場合には、一次回路を高難燃性部材で囲む等の安全設計が必要になりコストアップになっていた。
【０００６】
また、背景技術で記したように、ＮＣＵにトランスを使用しない構成にする場合、電源トランスとの影響は考えなくても良いが、ＮＣＵ回路が複雑になり、部品点数が多くなることでコストアップになっていた。また、一次回路と低難燃性部材／部品との距離についてはＮＣＵトランスを使用した時と同様の欠点があった。
【課題を解決するための手段】
【０００７】
本発明は、コストアップを押えながら、より小型で安全性の高いファクシミリ通信装置を提供することを目的とし、上記問題を解決する為に、電源トランスの巻線方向に対してＮＣＵトランスの巻線方向が垂直になるようにトランスを実装することで、ＮＣＵトランスと電源トランスを近傍に配置しながらＮＣＵトランスへの電源トランスの磁束の影響を少なくする。さらに、電源回路部とＮＣＵ部を高難燃性部材で囲み、一体化することで装置の安全性を高めている。
【発明の効果】
【０００８】
本発明によれば、ファクシミリ通信装置内において、電源トランスとＮＣＵトランスを近くに実装でき、電源回路手段とＮＣＵ回路手段を併せて高難燃性部材で囲むことから、電源トランスとＮＣＵトランス間や、一次回路と低難燃性部材／部品間で、大きなスペースをとる必要がなく、安全性を保ちつつ、装置の小型化を実現することができる。また、電源回路手段とＮＣＵ回路手段を高難燃性部材で囲む際に、トランス同士を近傍に置け、電源とＮＣＵの一次回路を併せて囲むことができるので、少量の高難燃性部材ですむことから、コストを低く押えることができる。
【発明を実施するための最良の形態】
【０００９】
図１は、本発明の一実施の形態に係る電源トランスとＮＣＵトランスの実装方向を表す図である。１０１は、ファクシミリ通信装置（図示せず）内に実装され、ＡＣ電源をＤＣ電源に変換する電源回路基板で、ＡＣ／ＤＣの絶縁をトランスで行っているものである。１０２は、ファクシミリ通信装置内に実装され、電話回線用網制御を行うＮＣＵ基板で、回線一次／二次間の絶縁をトランスで行っているものである。電源トランスとＮＣＵトランスは共に基板面に平行になる方向に巻線が巻かれ、図中の点線のように磁束が発生するようになっている。電源回路基板１０１に対して、ＮＣＵ基板１０２は垂直の向きに置かれ、トランスを実装している面を電源回路基板と反対側になるように実装している。こうすることによって電源トランスの磁束の向きと、ＮＣＵトランスの磁束の向きが垂直になり、また電源トランスとＮＣＵトランスの間にＮＣＵ基板自体が挿入される形になるので、ＮＣＵトランスへ、電源トランスの磁束の影響を受け難くすることができる。
【００１０】
図２は、電源回路基板１０１とＮＣＵ基板１０２とを高難燃性部材１０３で囲ったイメージ図である。電源回路基板１０１とＮＣＵ基板１０２は電源一次回路、回線一次回路を含んでおり、装置の外的要因（例えば雷など）によって回路故障が起きた時、最悪の場合発煙／発火が起こる可能性がある。そのことからユーザーを保護するため、電源回路基板１０１とＮＣＵ基板１０２を高難燃性部材１０３で囲んでいる。また、囲んだことにより他の低難燃性部材／部品との距離を離す必要がなくなることもメリットになっている。この高難燃性部材は、低難燃性部材に比べ一般的には高価であり、なるべく使用量を少なくしたほうがコストダウンにつながることは明らかである。
【００１１】
電源回路基板に対してＮＣＵ基板を垂直に配置した別の理由として、以下に記す。
【００１２】
図４（a）は電源基板とNCU基板を水平に配置した場合。図４（b）は電源基板に対しNCU基板を垂直に配置した場合で本発明の実施形である。一般的に電源回路基板にはトランスをはじめ高さの高い部品が実装されており、それより高さの低いNCU基板と並べて一体化した場合、高さの低いNCU基板の上部に空きスペースができてしまう。しかし、NCU基板の幅を電源基板の高さと同じくらいにして垂直に配置することで無駄なスペースを生むことなく、一体化した時の体積も小さくすることができる。（図中の斜線部だけ小さくなる）したがって、装置の小型化、高難燃性部材の少量化によるコストダウンが可能となる。
【図面の簡単な説明】
【００１３】
【図１】本発明のファクシミリ通信装置内の電源基板（電源トランス）とＮＣＵ基板（ＮＣＵトランス）の配置図。
【図２】本発明のファクシミリ通信装置内の電源回路基板とＮＣＵ回路基板を高難燃性部材で一体化したイメージ図。
【図３】従来の電源回路基板（電源トランス）とＮＣＵ基板（ＮＣＵトランス）の配置図。
【図４】電源回路基板とＮＣＵ基板の配置を説明する図。
【符号の説明】
【００１４】
１０１  電源回路基板
１０２  ＮＣＵ回路基板
１０３  高難燃性部材
【図１】
2007306385.tif 000003
【図２】
2007306385.tif 000004
【図３】
2007306385.tif 000005
【図４】
2007306385.tif 000006